(57)【要約】      （修正有）【課題】座席に座ったまま睡眠を取る際に体勢が崩れて斜めになってしまうことを防止するネックパッド用バッグを提供する。【解決手段】第１のケース１０１と第２のケース１０２と収納スペース１１と固定部１２とを有し、第１のケースと第２のケースとの間に収納スペースが形成されており、第１のケース及び第２のケースの一部が互いに連結されることで第１のケースが第２のケースに対して開閉可能となり、固定部が第２のケースに設けられる本体１０と、収納スペースに設けられており、第１の側端２２が本体内に連結され、第２の側端２１が収納スペースから取り出し自在である少なくとも１つのパッド２０とを備える。本体が固定部を介して座席に固定されるとともにパッドを頸部に巻くことができる。【選択図】図４
0003227413.tif 000002
【実用新案登録請求の範囲】
【請求項１】
第１のケースと第２のケースと収納スペースと固定部とを有し、前記第１のケースと前記第２のケースとの間に前記収納スペースが形成されており、前記第１のケース及び前記第２のケースの一部が互いに連結されることで前記第１のケースが前記第２のケースに対して開閉可能となり、前記固定部が前記第２のケースに設けられる本体と、
前記収納スペースに設けられており、第１の側端が前記本体内に連結され、第２の側端が前記収納スペースから取り出し自在である少なくとも１つのパッドと、を備える
ことを特徴とするネックパッド用バッグ。
【請求項２】
前記第１のケース及び前記第２のケースの連結箇所は、糊の粘着による連結、仕立による連結、又は軸支による連結である
ことを特徴とする請求項１に記載のネックパッド用バッグ。
【請求項３】
前記本体は組立部を更に有し、
前記組立部は、第１の取付部材と第２の取付部材とを有し、前記第１の取付部材は前記第２のケースに設けられ、前記第２の取付部材は前記第１のケースに設けられ、
前記第１の取付部材と前記第２の取付部材が互いに接合される場合、前記第１のケースと前記第２のケースは連結して固定されるようになり、
前記第１の取付部材と前記第２の取付部材が接合されない場合、前記第１のケースと前記第２のケースは分離されるようになる
ことを特徴とする請求項１に記載のネックパッド用バッグ。
【請求項４】
前記固定部は２個のバックルと固定ベルトとを有し、前記２個のバックルは、それぞれ前記固定ベルトの両端に設けられ、互いに着脱可能に締め付けられる
ことを特徴とする請求項１に記載のネックパッド用バッグ。
【請求項５】
前記少なくとも１つのパッド内には、複数のスチロール球、ポリウレタンフォーム、又はラテックスの何れかが充填される
ことを特徴とする請求項１に記載のネックパッド用バッグ。
【請求項６】
２個のパッドと、
前記２個のパッドの前記第２の側端にそれぞれ設けられ、互いに着脱可能に接合される２個の取付部と、を備える
ことを特徴とする請求項１に記載のネックパッド用バッグ。
【請求項７】
線ファスナを更に備え、
前記線ファスナは、前記第１のケース及び前記第２のケースが互いに開く又は閉じるよう、前記第１のケース及び前記第２のケースの外縁に設けられる
ことを特徴とする請求項１に記載のネックパッド用バッグ。
【考案の詳細な説明】
【技術分野】
【０００１】
本考案は、ネックパッド自体に関し、特にネックパッドを収納するケースを有し、頸部固定可能の効果を奏するネックパッド用バッグに関する。
【背景技術】
【０００２】
ネックパッド自体は枕の一種であって、特に頸部に用いられるネックパッドを指す。当該ネックパッドは、頸椎を支えることができ、頸椎の自然な曲線を維持することで頸部の疲労を減軽する。
【０００３】
従来のネックパッド自体は、座ったまま睡眠を取る必要がある場合に広く用いられており、例えば、自動車、電車、路線バス、又は飛行機などの乗り物に搭乗する際に用いられる。従来のネックパッド自体により、使用者が座ったまま睡眠を取る際に、頸部に十分な支える力がないことに起因する頸部の痛みや凝り、ひいてはそれに起因する一定期間の頭痛及びめまいの現象を防止できる。
【０００４】
従来のネックパッド自体は、Ｕ型を呈することから、使用者が使用の際に頸部を従来のネックパッド自体の開口、即ち、Ｕ型の開口に装着することで、使用者が座席に座ったまま睡眠を取る際に、ネックパッド自体から十分な支える力を得るため、頸部の血液循環を改善し、寝違えを防止できる。
【０００５】
しかしながら、ネックパッドの支えがあるとしても、長距離旅行便での移動の場合では、使用者が座席に座ったまま睡眠を取る際に、体勢が崩れて斜めになってしまい、周りの乗客の迷惑になりがちである。
【０００６】
更に、従来のネックパッド自体は、一定のスペースが必要とするため、持ち運びしにくいうえ、使用後にも収納や据え置きしにくい。
【考案の概要】
【考案が解決しようとする課題】
【０００７】
本考案の主な目的は、座席に設置可能で頸部を固定することで、使用者が座席に座ったまま睡眠を取る際に体勢が崩れて斜めになってしまうことを防止できるネックパッド用バッグを提供することである。
【０００８】
本考案の他の目的は、ネックパッドを収納するケースを有し、使用者には持ち運び、収納、及び据え置きしやすいネックパッド用バッグを提供することである。
【課題を解決するための手段】
【０００９】
上記目的を達成するために、本考案は、本体と、２個のパッドと、を備えるネックパッド用バッグを提供する。
【００１０】
本体は、第１のケースと、第２のケースと、収納スペースと、固定部と、を有し、第１のケースと第２のケースとの間には収納スペースが形成されており、第１のケース及び第２のケースの一部が互いに連結されることで第１のケースは第２のケースに対して開閉可能となり、固定部は第２のケースに設けられる。
【００１１】
少なくとも１つのパッドは、収納スペースに設けられており、第１の側端が本体内に連結され、第２の側端が収納スペースから取り出し自在である。
【００１２】
本考案の一実施例において、第１のケース及び第２のケースの連結箇所は、糊の粘着による連結、仕立による連結、又は軸支による連結である。
【００１３】
本考案の一実施例において、本体は組立部を更に有し、組立部は、第１の取付部材と第２の取付部材とを有し、第１の取付部材は第２のケースに設けられ、第２の取付部材は第１のケースに設けられ、第１の取付部材と第２の取付部材が互いに接合される場合、第１のケースと第２のケースは連結して固定されるようになり、第１の取付部材と第２の取付部材が接合されない場合、第１のケースと第２のケースは分離されるようになる。
【００１４】
本考案の一実施例において、固定部は２個のバックルと固定ベルトとを有し、２個のバックルは、それぞれ固定ベルトの両端に設けられ、互いに着脱可能に締め付けられる。
【００１５】
本考案の一実施例において、少なくとも１つのパッド内には、複数のスチロール球、ポリウレタンフォーム、又はラテックスの何れかが充填される。
【００１６】
本考案の一実施例において、ネックパッド用バッグは、２個のパッドと、前記２個のパッドの前記第２の側端にそれぞれ設けられ、互いに着脱可能に接合される２個の取付部と、を備える。
【００１７】
本考案の一実施例において、ネックパッド用バッグは、線ファスナを更に備え、線ファスナは、第１のケース及び第２のケースが互いに開く又は閉じるよう、第１のケース及び第２のケースの外縁に設けられる。
【考案の効果】
【００１８】
本考案は、本体が固定部を介して座席に固定されるとともに、２個のパッドが頸部に巻きつつ取付部が接合されることで、使用者が座席に座ったまま睡眠を取る際に体勢が崩れて斜めになってしまい、周りの乗客の迷惑になることを防止できるという効果を奏する。
【００１９】
また、本考案は、収納スペースを有する本体により、使用者が２個のパッドの使用後に同パッドを収納スペースに戻すことができ、使用者には持ち運び、収納、及び据え置きしやすい。
【図面の簡単な説明】
【００２０】
【図１】本考案の好適な実施例に係るネックパッド用バッグの斜視図である。
【図２】本考案の好適な実施例に係るネックパッド用バッグの他角度からの斜視図である。
【図３】本考案の好適な実施例に係るネックパッド用バッグのパッドが取り出された状態の斜視図である。
【図４】本考案の好適な実施例に係るネックパッド用バッグの開いた状態を示す模式図である。
【図５】本考案の好適な実施例に係るネックパッド用バッグが座席に設置される状態を示す模式図である。
【図６】本考案の好適な実施例に係るネックパッド用バッグのパッドが取り出された状態を示す模式図である。
【図７】本考案の好適な実施例に係るネックパッド用バッグの使用様子を示す模式図である。
【考案を実施するための形態】
【００２１】
以下、図面と符号を参照しながら、本考案を実施するための形態について、当業者が明細書に照らして実施できるよう詳しく説明する。
【００２２】
図１と図２は、それぞれ本考案の好適な実施例に係るネックパッド用バッグの斜視図と、他角度からの斜視図である。図１及び図２の示すように、本考案は、本体１０と、少なくとも１つのパッド２０とを備えるネックパッド用バッグを提供するものである。以下では、各部分について細かく説明する。
【００２３】
本体１０は、第１のケース１０１と、第２のケース１０２と、収納スペース１１と、固定部１２とを有し、第１のケース１０１と第２のケース１０２との間には収納スペース１１が形成されている。第１のケース１０１及び第２のケース１０２の一部が互いに連結されることで、第１のケース１０１は第２のケース１０２に対して開閉可能となり、固定部１２は第２のケース１０２に設けられる。しかしながら、固定部１２の設けられる位置はこれに限らず、ニーズに応じて固定部１２が第１のケース１０１に設けられるように変更することができる。
【００２４】
好ましくは、本考案の好適な実施例において、本体１０は、僅かな弾性を有するケースであり、頸部が本体１０にもたれる際に、その表面が僅かに凹むものの、その外見輪郭を維持することができる。
【００２５】
なお、第１のケース１０１及び第２のケース１０２の一部の連結方式は、糊の粘着による連結、仕立による連結、又は軸支による連結である。このようにして、第１のケース１０１は第２のケース１０２に対して開閉可能となる。しかしながら、連結方式はこれに限らず、ニーズに応じて同一の機能を果たす他構成に変更することができる。
【００２６】
本考案の好適な実施例において、本体１０は組立部１４を更に有し、組立部１４は、第１の取付部材１４１と第２の取付部材１４２とを有し、第１の取付部材１４１は第２のケース１０２に設けられ、第２の取付部材１４２は第１のケース１０１に設けられる。第１の取付部材１４１と第２の取付部材１４２が互いに接合される場合、第１のケース１０１と第２のケース１０２は連結して固定されるようになり、第１の取付部材１４１と第２の取付部材１４２が接合されない場合、第１のケース１０１と第２のケース１０２は分離されるようになる。
【００２７】
好ましくは、組立部１４は、第１のケース１０１及び第２のケース１０２における、それらの一部が連結される箇所とは反対側の天面部に設けられる。第１の取付部材１４１と第２の取付部材１４２が接合されない場合、同天面部から第１のケース１０１と第２のケース１０２を分離させることができる。
【００２８】
具体的に言うと、第１の取付部材１４１と第２の取付部材１４２は、面ファスナであり、素早く貼り付けられたり剥がされたりすることができ、使用者には取り付けしやすい。しかしながら、第１の取付部材１４１と第２の取付部材１４２の構成はこれに限らず、同一の機能を果たす他構成、例えば、ドットボタン、マグネットホックに変更することができる。
【００２９】
図２を参照されたい。本考案のネックパッド用バッグは、線ファスナ３０を更に備え、線ファスナ３０は、第１のケース１０１及び第２のケース１０２が互いに開く又は閉じるよう、第１のケース１０１及び第２のケース１０２の外縁に設けられる。このようにして、塵や埃が収納スペース１１に侵入しパッド２０を汚すことを防止できる。本体１０の第１のケース１０１及び第２のケース１０２が閉じ、頸部が本体１０にもたれる場合、線ファスナ３０を引っ張ることで、第１のケース１０１及び第２のケース１０２を僅かに立たせつつ形を崩さないようにすることができるうえ、収納スペース１１の密封性及び支持性をもたらす。
【００３０】
本考案の好適な実施例において、固定部１２は、２個のバックル１２１と固定ベルト１２２とを有し、２個のバックル１２１は、それぞれ固定ベルト１２２の両端に設けられ、互いに着脱可能に締め付けられる。本体１０は、固定部１２が座席５０とヘッドレスト５１との柱部に固定されることで、頭のもたれる箇所、即ち頸部に位置づけられ、頸部が支持されるようになる。したがって、固定部１２は、フック、又は柱部に固定可能の他の挟持具とされることができる。
【００３１】
具体的に言うと、固定ベルト１２２の中間部は本体１０の第２のケース１０２と連結され、固定ベルト１２２の両端には、２個のバックル１２１がそれぞれ設けられる。本考案の好適な実施例において、２個のバックル１２１は、それぞれ差し込み脚部及び受部であり、素早く接続されたり外されたりすることができる。しかしながら、２個のバックル１２１の構成はこれに限らず、同一の機能を果たす素早く着脱可能の構成、例えば、ロック式バックル、マグネット式バックル、サイドリリースバックルに変更することができる。
【００３２】
図３は、本考案の好適な実施例に係るネックパッド用バッグのパッド２０が取り出された状態の斜視図であり、図４は、本考案の好適な実施例に係るネックパッド用バッグの開いた状態を示す模式図である。図３及び図４の示すように、本考案の好適な実施例において、少なくとも１つのパッド２０は、収納スペース１１に設けられており、第１の側端２２が本体１０に連結され、第２の側端２１が収納スペース１１から取り出し自在である。
【００３３】
具体的に言うと、本考案の好適な実施例において、ネックパッド用バッグは２個のパッド２０を有する。２個のパッド２０の第１の側端２２は、それぞれ収納スペース１１に位置されるとともに、第２のケース１０２と連結される。２個のパッド２０の第２の側端２１は、ニーズに応じて収納スペースに収納自在に設けられたり、収納スペース１１から取り出されたりすることができる。
【００３４】
本考案の好適な実施例において、２個のパッド２０の第１の側端２２はそれぞれ収納スペース１１で第２のケース１０２と連結されるものの、連結先のケースはこれに限らず、ニーズに応じて２個のパッド２０の第１の側端２２がそれぞれ収納スペース１１で第１のケース１０１と連結されるように変更することができる。
【００３５】
本考案の好適な実施例において、各パッド２０の内部には複数のスチロール球が充填される。小径の複数のスチロール球により、頸部が当該パッド２０にもたれる際に、当該パッド２０は、頸部の輪郭に順応し形を微調整することで、頸部の輪郭によりフィットするようになり、使い心地が快適である。なお、充填材はこれに限らず、ポリウレタンフォーム、ラテックスであってもよい。
【００３６】
本考案の好適な実施例において、ネックパッド用バッグは、２個のパッド２０の第２の側端２１にそれぞれ設けられ、互いに着脱可能に接合される２個の取付部４０を更に備える。好ましくは、２個の取付部４０は軟質の磁石であり、素早く付けられたり外されたりすることができるうえ、使用の際に頸部を締めることがない。しかしながら、２個の取付部４０の構成はこれに限らず、同一の機能を果たす素早く着脱可能の構成、例えば、ロック式バックル、面ファスナ、サイドリリースバックルに変更することができる。
【００３７】
図５は、本考案の好適な実施例に係るネックパッド用バッグが座席５０とヘッドレスト５１との柱部に設置される状態を示す模式図である。図５の示すように、設置する際に、固定部１２の固定ベルト１２２を柱部にかけつつ固定ベルト１２２両端のバックル１２１を接続することで、本体１０が固定されるようになる。このようにして、本体１０は、座席５０とヘッドレスト５１との間における、使用者が座席５０に着席する際に頸部のもたれる位置に設けられることで、頸部を好適に支える効果を奏する。
【００３８】
なお、本考案の本体１０は、僅かな弾性を有するため、頸部が本体１０の第１のケース１０１にもたれる際に、本体１０の表面が僅か凹むものの、本体１０の外見輪郭を維持することができる。また、第１のケース１０１の表面にソフトパッドが設けられることで、もたれる際の快適さを向上させることができる。
【００３９】
図３と図６を参照されたい。図６は、本考案の好適な実施例に係るネックパッド用バッグのパッド２０が取り出された状態を示す模式図である。収納スペース１１内にあるパッド２０を使用する際に、組立部１４の第１の取付部材１４１及び第２の取付部材１４２を分離させつつ天面部から第１のケース１０１及び第２のケース１０２を分離させることで、収納スペース１１内から２個のパッド２０の第２の側端２１を取り出すことができる。
【００４０】
２個のパッド２０の第２の側端２１を取り出した後、第１のケース１０１及び第２のケース１０２を閉めつつ第１の取付部材１４１と第２の取付部材１４２を接合することで、第１のケース１０１及び第２のケース１０２が連結されるようになる。
【００４１】
図７は、本考案の好適な実施例に係るネックパッド用バッグの使用様子を示す模式図である。図７の示すように、使用者が座席５０に着席した後、２個のパッド２０のそれぞれを頸部にかけつつ巻くとともに、２個のパッド２０の第２の側端２１に設けられる取付部４０を接合することで、頸部の支え及び固定という効果を奏する。このようにして、長距離旅行便での移動の場合では、使用者が座席５０に座ったまま睡眠を取る際に体勢が崩れて斜めになってしまうことを防止でき、周りの乗客の迷惑にならずに済む。
【００４２】
使用後、組立部１４の第１の取付部材１４１及び第２の取付部材１４２を分離させつつ天面部から第１のケース１０１及び第２のケース１０２を分離させ、２個のパッド２０の第２の側端２１をそれぞれ本体１０の収納スペース１１に戻し、第１の取付部材１４１及び第２の取付部材１４２を接合することで、第１のケース１０１及び第２のケース１０２が連結して固定されるようになり、本考案の２個のパッド２０の収納を完了する。
【００４３】
本考案は、本体１０が固定部１２を介して座席５０に固定されるとともに、２個のパッド２０が頸部に巻きつつ取付部４０が接合されることで、使用者が座席５０に座ったまま睡眠を取る際に体勢が崩れて斜めになってしまい、周りの乗客の迷惑になることを防止できるという効果を奏する。
【００４４】
また、本考案は、収納スペース１１を有する本体１０により、使用者が２個のパッド２０の使用後に同パッド２０を収納スペース１１に戻すことができ、使用者には持ち運び、収納、及び据え置きしやすい。
【００４５】
上記内容は、本考案の好適な実施例を説明するものに過ぎず、本考案を形式的に制限しようとするものではないため、同一の考案精神の前提において、本考案に関する何れの種々の改良や変更は本考案の登録請求の範囲に含まれるべきである。
【符号の説明】
【００４６】
１０      本体
１０１    第１のケース
１０２    第２のケース
１１      収納スペース
１２      固定部
１２１    バックル
１２２    固定ベルト
１４      組立部
１４１    第１の取付部材
１４２    第２の取付部材
２０      パッド
２１      第２の側端
２２      第１の側端
３０      線ファスナ
４０      取付部
５０      座席
５１      ヘッドレスト
【図１】
0003227413.tif 000003
【図２】
0003227413.tif 000004
【図３】
0003227413.tif 000005
【図４】
0003227413.tif 000006
【図５】
0003227413.tif 000007
【図６】
0003227413.tif 000008
【図７】
0003227413.tif 000009